【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
複数の見出し語を含む辞書データの中から一つ以上の見出し語を検索する見出し語検索手段と、
前記検索された一つ以上の見出し語および当該検索された見出し語の前記辞書データ中における一つ以上の位置を記憶する履歴記憶手段と、
前記位置が記憶された一つ以上の見出し語の前記辞書データ中における一つ以上の位置を示す一つ以上のマークを配列したグラフを表示手段に表示させる履歴表示手段と、
前記表示された一つ以上のマークのうち一つが指定された際に、当該指定された一つのマークに対応した一つの見出し語を表示手段に表示させる見出し語表示手段と、
を備えたことを特徴とする電子機器。
【請求項２】
前記履歴記憶手段は、一つ以上の画像を、前記見出し語検索手段により検索された一つ以上の見出し語に対応付けて記憶し、
前記履歴表示手段は、前記一つ以上のマークを、当該一つ以上のマークに対応した前記一つ以上の見出し語に対応付けられて記憶された前記一つ以上の画像と共に表示手段に表示させる、
ことを特徴とする請求項１に記載の電子機器。
【請求項３】
前記履歴表示手段は、
ユーザ操作に基づいて指定された文字列に対応する見出し語が記憶されている範囲を、前記辞書データに対して設定し、
前記一つ以上の見出し語のうち、当該設定した範囲に対応する見出し語の、前記辞書データ中の当該範囲内における位置を示すマークを、前記一つ以上のマークとして前記表示手段に表示させる、
ことを特徴とする請求項１または請求項２に記載の電子機器。
【請求項４】
前記履歴表示手段は、さらに、
前記グラフへのユーザ操作に基づいて指定された範囲を、前記辞書データに対して設定し、
前記一つ以上の見出し語のうち、当該設定した範囲に対応する見出し語の、前記辞書データ中の当該範囲内における位置を示すマークを、前記一つ以上のマークとして前記表示手段に表示させる、
ことを特徴とする請求項１ないし請求項３の何れか１項に記載の電子機器。
【請求項５】
前記履歴表示手段は、
ユーザ操作に基づいて前記辞書データに対して範囲が設定されていない場合、
前記一つ以上の見出し語の、前記辞書データの全範囲における位置を示すマークを、前記一つ以上のマークとして前記表示手段に表示させる、
ことを特徴とする請求項１ないし請求項４の何れか１項に記載の電子機器。
【請求項６】
前記グラフが表示される前記表示手段、前記辞書データが記憶されたデータ記憶手段、および、前記見出し語検索手段により検索する対象の文字列を指定する入力手段、の何れか少なくとも一つを
さらに備える請求項１ないし請求項５の何れか１項に記載の電子機器。
【請求項７】
電子機器のコンピュータを、
複数の見出し語を含む辞書データの中から一つ以上の見出し語を検索する見出し語検索手段、
前記検索された一つ以上の見出し語および当該検索された見出し語の前記辞書データ中における一つ以上の位置を記憶する履歴記憶手段、
前記位置が記憶された一つ以上の見出し語の前記辞書データ中における一つ以上の位置を示す一つ以上のマークを配列したグラフを表示手段に表示させる履歴表示手段、
前記表示された一つ以上のマークのうち一つが指定された際に、当該指定された一つのマークに対応した一つの見出し語を表示手段に表示させる見出し語表示手段、
として機能させるためのコンピュータ読み込み可能なプログラム。
【請求項８】
端末装置とネットワークを介して前記端末装置と接続されるサーバ装置からなる辞書検索システムであって、
複数の見出し語を含む辞書データの中から一つ以上の見出し語を検索する見出し語検索手段と、
前記検索された一つ以上の見出し語および当該検索された見出し語の前記辞書データ中における一つ以上の位置を記憶する履歴記憶手段と、
前記位置が記憶された一つ以上の見出し語の前記辞書データ中における一つ以上の位置を示す一つ以上のマークを配列したグラフを前記端末装置の表示手段に表示させる履歴表示手段と、
前記表示された一つ以上のマークのうち一つが指定された際に、当該指定された一つのマークに対応した一つの見出し語を前記端末装置の表示手段に表示させる見出し語表示手段と、
を備えたことを特徴とする検索システム。
【請求項９】
前記辞書データが記憶されたデータ記憶手段を
さらに備える請求項８に記載の検索システム。
【請求項１０】
前記端末装置は、
前記見出し語検索手段により検索する対象の文字列を指定する入力手段を
さらに備える請求項８または請求項９に記載の検索システム。
【請求項１１】
複数の見出し語を含む辞書データの中から一つ以上の見出し語を検索し、
前記検索された一つ以上の見出し語および当該検索された見出し語の前記辞書データ中における一つ以上の位置を記憶し、
前記位置が記憶された一つ以上の見出し語の前記辞書データ中における一つ以上の位置を示す一つ以上のマークを配列したグラフを表示手段に表示させ、
前記表示された一つ以上のマークのうち一つが指定された際に、当該指定された一つのマークに対応した一つの見出し語を表示手段に表示させる、
ことを含むことを特徴とする検索方法。
【手続補正２】
【補正対象書類名】明細書
【補正対象項目名】発明の名称
【補正方法】変更
【補正の内容】
【発明の名称】電子機器、プログラム、および、検索システム、検索方法
【手続補正３】
【補正対象書類名】明細書
【補正対象項目名】０００８
【補正方法】変更
【補正の内容】
【０００８】
本発明に係る電子機器は、複数の見出し語を含む辞書データの中から一つ以上の見出し語を検索する見出し語検索手段と、
前記検索された一つ以上の見出し語および当該検索された見出し語の前記辞書データ中における一つ以上の位置を記憶する履歴記憶手段と、
前記位置が記憶された一つ以上の見出し語の前記辞書データ中における一つ以上の位置を示す一つ以上のマークを配列したグラフを表示手段に表示させる履歴表示手段と、
前記表示された一つ以上のマークのうち一つが指定された際に、当該指定された一つのマークに対応した一つの見出し語を表示手段に表示させる見出し語表示手段と、
を備えたことを特徴としている。
【手続補正４】
【補正対象書類名】明細書
【補正対象項目名】０００９
【補正方法】変更
【補正の内容】
【０００９】
本発明に係るプログラムは、電子機器のコンピュータを、
複数の見出し語を含む辞書データの中から一つ以上の見出し語を検索する見出し語検索手段と、
前記検索された一つ以上の見出し語および当該検索された見出し語の前記辞書データ中における一つ以上の位置を記憶する履歴記憶手段と、
前記位置が記憶された一つ以上の見出し語の前記辞書データ中における一つ以上の位置を示す一つ以上のマークを配列したグラフを表示手段に表示させる履歴表示手段と、
前記表示された一つ以上のマークのうち一つが指定された際に、当該指定された一つのマークに対応した一つの見出し語を表示手段に表示させる見出し語表示手段と、
として機能させることを特徴としている。
【手続補正５】
【補正対象書類名】明細書
【補正対象項目名】００１０
【補正方法】変更
【補正の内容】
【００１０】
本発明に係る検索システムは、端末装置とネットワークを介して前記端末装置と接続されるサーバ装置からなる辞書検索システムであって、
複数の見出し語を含む辞書データの中から一つ以上の見出し語を検索する見出し語検索手段と、
前記検索された一つ以上の見出し語および当該検索された見出し語の前記辞書データ中における一つ以上の位置を記憶する履歴記憶手段と、
前記位置が記憶された一つ以上の見出し語の前記辞書データ中における一つ以上の位置を示す一つ以上のマークを配列したグラフを前記端末装置の表示手段に表示させる履歴表示手段と、
前記表示された一つ以上のマークのうち一つが指定された際に、当該指定された一つのマークに対応した一つの見出し語を前記端末装置の表示手段に表示させる見出し語表示手段と、
を備えたことを特徴としている。
本発明に係る検索方法は、複数の見出し語を含む辞書データの中から一つ以上の見出し語を検索し、
前記検索された一つ以上の見出し語および当該検索された見出し語の前記辞書データ中における一つ以上の位置を記憶し、
前記位置が記憶された一つ以上の見出し語の前記辞書データ中における一つ以上の位置を示す一つ以上のマークを配列したグラフを表示手段に表示させ、
前記表示された一つ以上のマークのうち一つが指定された際に、当該指定された一つのマークに対応した一つの見出し語を表示手段に表示させる、
ことを含むことを特徴としている。